(57)【要約】【課題】  冷却水を有効に利用し、冷却水の排水量を低減させる。【解決手段】  ボイラ排水を冷却水との熱交換によって冷却する冷却手段７を備えた排水処理装置１であって、ボイラ給水を冷却水として冷却手段７へ供給し、この冷却手段７からの冷却水を蒸気ボイラ２へ供給することを特徴としている。【選択図】  図１
2006198472.tif 000002
【特許請求の範囲】
【請求項１】
ボイラ排水を冷却水との熱交換によって冷却する冷却手段を備えた排水処理装置であって、
ボイラ給水を冷却水として前記冷却手段へ供給し、この冷却手段からの冷却水をボイラへ供給することを特徴とする排水処理装置。
【請求項２】
ボイラ排水を冷却水との熱交換によって冷却する主冷却手段を備えた排水処理装置であって、
前記主冷却手段からの冷却水を副冷却手段へ供給し、この副冷却手段からの冷却水を前記主冷却手段へ供給することを特徴とする排水処理装置。
【発明の詳細な説明】
【技術分野】
【０００１】
この発明は、ボイラ排水の中和および冷却を行う排水処理装置に関するものである。
【背景技術】
【０００２】
給水を加熱して蒸気を発生させる蒸気ボイラ缶体内の缶水は、給水中に含まれている炭酸水素イオンや炭酸イオンが熱分解して水酸化物イオンが生成し、この水酸化物イオンの濃縮により次第にアルカリ性が強くなる。また、前記蒸気ボイラの運転を続けると、缶水が過度に濃縮してキャリーオーバーなどの不都合が生じるため、適正な缶水濃度を維持するように、定期的に所定割合の缶水を前記蒸気ボイラから排出する必要がある。この操作は、通常、濃縮ブローと呼ばれている。さらに、前記蒸気ボイラを所定時間稼働させた後には、前記缶体の底部に沈殿したいわゆる釜泥（スラッジ）を除去するため、缶水を全て排出しながら洗い流す必要がある。この操作は、通常、全ブローと呼ばれている。
【０００３】
前記のような濃縮ブローや全ブローによるボイラ排水を放流する際には、条例などで定められた排水基準に適合するように、冷却や中和といった排水処理を行う必要がある。ボイラ排水を冷却する方法としては、ボイラ排水へ常温水を混合する方法がある。また、特許文献１に記載されている排水処理装置のように、ボイラ排水を冷却水との熱交換によって冷却する方法もある。
【特許文献１】特開２００１−２９３４８４号公報
【発明の開示】
【発明が解決しようとする課題】
【０００４】
しかし、常温水をボイラ排水へ混合して冷却する方法は、大量の常温水（すなわち、冷却水）を必要とする。さらに、この方法は、冷却水を再利用することができないため、結果的に冷却水の排水量が多くなる。一方、特許文献１の方法は、供給される冷却水が一過性であり、再利用するための手段が開示されていない。このため大量の冷却水が必要になるとともに、結果的に冷却水の排水量も多くなる。したがって、いずれの方法も大量の冷却水を消費することによって、上水や工業用水などの使用料金がかさみやすく、排水処理のコストを増加させる一因となっていた。同時に、排水量が多くなることによって、事業所内における最終処理設備の能力を超過したり、近隣の環境に対して悪影響を与えたりする懸念もあった。
【０００５】
この発明が解決しようとする課題は、冷却水を有効に利用し、冷却水の排水量を低減させることである。
【課題を解決するための手段】
【０００６】
この発明は前記課題を解決するためになされたもので、請求項１に記載の発明は、ボイラ排水を冷却水との熱交換によって冷却する冷却手段を備えた排水処理装置であって、ボイラ給水を冷却水として前記冷却手段へ供給し、この冷却手段からの冷却水をボイラへ供給することを特徴とする。
【０００７】
このような請求項１に記載の発明では、前記冷却手段へは、冷却水としてボイラ給水が供給され、このボイラ給水との熱交換によりボイラ排水が冷却される。前記冷却手段において熱交換されたボイラ給水は、前記ボイラへ供給される。
【０００８】
請求項２に記載の発明は、ボイラ排水を冷却水との熱交換によって冷却する主冷却手段を備えた排水処理装置であって、前記主冷却手段からの冷却水を副冷却手段へ供給し、この副冷却手段からの冷却水を前記主冷却手段へ供給することを特徴とする。
【０００９】
このような請求項２に記載の発明では、前記主冷却手段においてボイラ排水と熱交換された冷却水は、前記副冷却手段で冷却されたのち、再び前記主冷却手段へ供給されてボイラ排水を冷却する。
【発明の効果】
【００１０】
請求項１に記載の発明によれば、ボイラ給水を冷却水として前記冷却手段へ供給し、この冷却手段からの冷却水をボイラへ供給しているので、冷却水を有効に利用でき、冷却水の排水量を低減させることができる。この結果、排水処理にかかるコストが低減されるとともに、事業所内における最終処理設備の能力の超過や近隣の環境に対する悪影響といった懸念を生じない。さらに、前記冷却手段からの冷却水は、熱交換によって加熱された状態でボイラへ供給される。この結果、前記ボイラにおける蒸気の生成に要するエネルギーが減少し、燃料の節約に貢献する。
【００１１】
一方、請求項２に記載の発明によれば、前記主冷却手段からの冷却水を前記副冷却手段へ供給し、この副冷却手段からの冷却水を前記主冷却手段へ供給しているので、冷却水を有効に利用でき、冷却水の排水量を低減させることができる。この結果、排水処理にかかるコストが低減されるとともに、事業所内における最終処理設備の能力の超過や近隣の環境に対する悪影響といった懸念を生じない。
【発明を実施するための最良の形態】
【００１２】
以下、この発明に係る排水処理装置を実施するための最良の形態を説明する。
この発明が実施される排水処理装置は、蒸気ボイラからのアルカリ性ブロー排水，すなわちボイラ排水の中和を行うとともに冷却を行い、排水基準に適合した処理水として排出するものである。
【００１３】
まず、第一実施形態について説明する。この第一実施形態における排水処理装置は、ボイラ排水の冷却手段とボイラ排水の中和手段とを備えている。
【００１４】
前記冷却手段は、ボイラ排水を冷却水との熱交換によって冷却する熱交換器である。この冷却手段は、ボイラ排水を供給する排水入口と、冷却されたボイラ排水を排出する排水出口とを備えている。そして、前記排水入口と前記排水出口には、それぞれボイラ排水の流通経路，たとえばボイラ排水を循環させる循環経路が接続されている。さらに、この冷却手段は、冷却水を供給する冷却水入口と、熱交換された冷却水を排出する冷却水出口とを備えている。
【００１５】
前記冷却手段へは、前記冷却水入口から冷却水としてボイラ給水が供給される。このボイラ給水は、たとえば前記蒸気ボイラの前段に接続された給水タンクから供給される。そして、熱交換されたボイラ給水は、前記冷却水出口から排出され、前記蒸気ボイラへ供給される。ここにおいて、熱交換されたボイラ給水は、前記給水タンクへ戻したのち、前記蒸気ボイラへ供給するように構成してもよいし、前記蒸気ボイラへ直接供給するように構成してもよい。
【００１６】
前記中和手段は、前記流通経路に対し、外部から中和剤を取り込むとともに、この中和剤をボイラ排水へ混合させるものである。この中和手段は、前記流通経路に中和剤供給経路を接続することにより構成することができ、この中和剤供給経路との接続部において、前記中和剤が取り込まれるとともに、ボイラ排水へ混合される。ここにおいて、前記中和剤は、塩酸，硫酸，硝酸等の酸性薬品を利用することができ、また炭酸ガス等の酸性ガスを利用することができ、さらには炭酸ガスを含んでいるボイラ排ガスを利用することができる。
【００１７】
また、前記中和手段において、前記接続部には、前記流通経路からボイラ排水を取り入れるとともに、前記中和剤供給経路から前記中和剤を吸引し、両者を混合する吸引混合手段が設けられている。この吸引混合手段としては、たとえば二流体を吸引混合可能なポンプ、すなわちジェットポンプを使用することができる。また、さらに好適な吸引混合手段として、ボイラ排水の流れによって発生させた負圧を利用して前記中和剤を吸引するとともに、この中和剤とボイラ排水とを混合して吐出する手段を使用することができ、このような吸引混合手段として、たとえばエゼクタやアスピレーターを挙げることができる。このような吸引混合手段を設けた場合、前記中和剤を効率よく取り込み、この中和剤とボイラ排水の混合を促進することができる。さらに、前記中和剤供給経路は、前記中和剤の供給とその停止を制御するため、開閉バルブを備えている。
【００１８】
ここで、前記中和手段は、安全性やランニングコストの点から、前記中和剤にボイラ排ガスを用いる構成が好適である。さらには、中和効率に優れる点から、前記接続部に前記エゼクタを設ける構成がとくに好適である。このような構成による中和について具体的に説明すると、まず前記流通経路を流れるボイラ排水が前記エゼクタ内に取り入れられる。そして、このエゼクタ内において、前記中和剤供給経路から吸引されたボイラ排ガスがボイラ排水と混合される。この結果、ボイラ排ガスがボイラ排水に接触しながら溶解し、ボイラ排水が中和される。さらに、前記エゼクタで生じる乱流効果によってボイラ排水が撹拌されるので、効率よく中和することができる。また、前記エゼクタは、可動部を持たないことから、ボイラ排ガスの熱によって故障や劣化を起こしにくい。このため、ボイラ排水に対し、安定してボイラ排ガスを供給，混合することができる。
【００１９】
このような第一実施形態の排水処理装置では、ボイラ排水は、前記冷却手段により冷却されるとともに、前記中和手段により中和され、排水基準に適合した処理水として排出される。そして、前記冷却手段においては、前記冷却水入口から冷却水としてボイラ給水が供給され、このボイラ給水との熱交換によりボイラ排水が冷却される。前記冷却手段において熱交換されたボイラ給水は、前記冷却水出口から排出され、前記蒸気ボイラへ供給される。
【００２０】
以上のように、前記第一実施形態の排水処理装置によれば、ボイラ給水を冷却水として前記冷却手段へ供給し、この冷却手段からの冷却水を前記蒸気ボイラへ供給しているので、冷却水を有効に利用でき、冷却水の排水量を低減させることができる。この結果、排水処理にかかるコストが低減されるとともに、事業所内における最終処理設備の能力の超過や近隣の環境に対する悪影響といった懸念を生じない。さらに、前記冷却手段からの冷却水は、熱交換によって加熱された状態で前記蒸気ボイラへ供給される。この結果、前記蒸気ボイラにおける蒸気の生成に要するエネルギーが減少し、燃料の節約に貢献する。
【００２１】
つぎに、第二実施形態について説明する。この第二実施形態の排水処理装置は、ボイラ排水を冷却水との熱交換によって冷却する主冷却手段とボイラ排水の中和手段とを備え、さらに前記主冷却手段からの冷却水を冷却する副冷却手段を備えている。
【００２２】
前記主冷却手段は、前記第一実施形態の冷却手段と同様の構成であり、また前記中和手段は、前記第一実施形態の中和手段と同様の構成である。
【００２３】
前記副冷却手段は、たとえばクーリングタワーやチラーなどである。この副冷却手段へは、前記主冷却手段の冷却水出口からの冷却水が供給され、その冷却が行われるようになっている。そして、冷却された冷却水は、前記主冷却手段へ再び供給される。
【００２４】
ここで、前記副冷却手段は、前記排水処理装置の設置現場において、施設の空調用や生産ラインの冷却用として、既設のクーリングタワーやチラーがある場合、これらの設備を利用することができる。この場合、クーリングタワーやチラーから負荷機器（たとえば、空調機器や生産機器）へ供給される冷却水の一部を分岐して前記主冷却手段の冷却水入口へ供給するとともに、前記主冷却手段の冷却水出口からの冷却水を前記負荷機器から還流されてくる冷却水へ合流させるように構成する。
【００２５】
このような第二実施形態の排水処理装置では、前記第一実施形態の排水処理装置と同様、ボイラ排水は、前記主冷却手段により冷却されるとともに、前記中和手段により中和され、排水基準に適合した処理水として排出される。
【００２６】
前記主冷却手段においてボイラ排水と熱交換された冷却水は、前記冷却水出口から排出されて前記副冷却手段へ供給され、この副冷却手段において冷却されたのち、再び前記主冷却手段へ供給されてボイラ排水を冷却する。すなわち、冷却水は、前記主冷却手段と前記副冷却手段の間を循環しながら、繰り返し利用される。
【００２７】
以上のように、前記第二実施形態の排水処理装置によれば、前記主冷却手段からの冷却水を前記副冷却手段へ供給し、この副冷却手段からの冷却水を前記主冷却手段へ供給しているので、冷却水を有効に利用でき、冷却水の排水量を低減させることができる。この結果、排水処理にかかるコストが低減されるとともに、事業所内における最終処理設備の能力の超過や近隣の環境に対する悪影響といった懸念を生じない。
【実施例】
【００２８】
以下、この発明の具体的実施例を図面に基づいて詳細に説明する。
まず、この発明の第一実施例について説明する。図１は、第一実施例に係る排水処理装置の構成を示す概略的な説明図である。
【００２９】
図１において、排水処理装置１は、蒸気ボイラ２からのアルカリ性のブロー排水（以下、「ボイラ排水」と云う。）を、ボイラ排ガスに含まれる炭酸ガスにより中和処理するとともに冷却して、排水基準に適合した処理水として排出するものである。
【００３０】
排水処理装置１は、蒸気ボイラ２からボイラ排水を供給する排水経路３と、ボイラ排水の貯留槽４とを備えている。この貯留槽４には、貯留されたボイラ排水を循環させる排水循環経路５の両端部がそれぞれ接続されており、この排水循環経路５には、上流側から順に循環ポンプ６，冷却手段７およびエゼクタ８がそれぞれ直列配置されている。
【００３１】
前記冷却手段７は、熱交換器であって、前記排水循環経路５を流れるボイラ排水を供給する排水入口９と、冷却されたボイラ排水を排出する排水出口１０とを備えている。さらに、この冷却手段７は、冷却水を供給する冷却水入口１１と、熱交換された冷却水を排出する冷却水出口１２とを備えている。
【００３２】
前記冷却手段７へ供給される冷却水は、前記蒸気ボイラ２の前段に接続されている給水タンク１３に貯留されたボイラ給水である。このボイラ給水は、各種水処理装置（図示省略）で所定の水処理（たとえば、軟水化処理や脱酸素処理など）を行ったのち、前記給水タンク１３に貯留されている。前記給水タンク１３には、冷却水供給バルブ１４を備えた冷却水供給経路１５の一端が接続されている。そして、この冷却水供給経路１５の他端は、前記冷却水入口１１に接続されており、前記給水タンク１３内のボイラ給水が前記冷却水供給経路１５を介して前記冷却手段７へ供給されるようになっている。前記冷却水供給バルブ１４は、制御部１６によって開閉制御される。
【００３３】
前記冷却水出口１２には、冷却水排出経路１７の一端が接続されている。この冷却水排出経路１７の他端は、前記給水タンク１３に接続されており、前記冷却手段７においてボイラ排水と熱交換されたボイラ給水（すなわち、冷却水）は、前記冷却水排出経路１７を通って再び前記給水タンク１３へ流入するようになっている。
【００３４】
前記エゼクタ８は、中和手段を構成する部材であり、前記排水循環経路５が接続される排水供給口１８と、中和剤供給経路１９が接続される中和剤吸引口２０とを有している。また、前記中和剤供給経路１９は、前記蒸気ボイラ２において燃料を燃焼させた排ガスを屋外へ排気する排気筒２１に接続されており、排ガスの一部が、前記排気筒２１から前記中和剤供給経路１９を通って前記エゼクタ８へ中和剤として供給されるようになっている。
【００３５】
そして、前記エゼクタ８は、前記排水供給口１８からボイラ排水を取り入れるとともに、前記中和剤吸引口２０からボイラ排ガスを吸引し、ボイラ排水と混合するようになっている。ボイラ排ガスが混合されたボイラ排水は、前記エゼクタ８の吐出口２２から前記貯留槽４内へ噴射されるようになっている。
【００３６】
ここにおいて、前記エゼクタ８は、可動部を持たないことから、ボイラ排ガスの熱によって故障や劣化を起こしにくい。このため、ボイラ排水に対し、安定してボイラ排ガスを供給，混合し、中和を行うことができる。
【００３７】
また、ボイラ排ガスは、前記中和剤供給経路１９に設けられた中和剤供給バルブ２３とエアバルブ２４を開閉操作することで、前記エゼクタ８へ供給され，あるいは供給が停止されるようになっている（後で詳しく説明する）。前記中和剤供給バルブ２３と前記エアバルブ２４は、それぞれ前記制御部１６によって開閉制御されている。
【００３８】
前記貯留槽４には、貯留されたボイラ排水の水温およびｐＨを検出するための温度センサ２５とｐＨセンサ２６とがそれぞれ設けられている。また、前記貯留槽４の底部には、中和および冷却されたボイラ排水，すなわち処理水を系外へ排出する処理水排出経路２７が接続されており、この処理水排出経路２７には排出バルブ２８が設けられている。この排出バルブ２８は、前記温度センサ２５および前記ｐＨセンサ２６による検出値が排水基準に適合した水温とｐＨになったとき、前記制御部１６からの指令で開くように制御されている。
【００３９】
前記の構成において、前記貯留槽４の底部は、中和反応に伴って生成するスラッジ（たとえば、炭酸カルシウムなど）を処理水とともに系外へ排出するため、中央部へ向かって傾斜を設け、この中央部に前記処理水排出経路２７を接続することが好ましい。同時に、高温のボイラ排水を前記貯留槽４の上方から取り出すとともに、前記貯留槽４の下方へ冷却されたボイラ排水を還流させるように、前記排水循環経路５を前記貯留槽４に対して接続することが好ましい。このように構成すると、還流する水流を利用して、スラッジを前記処理水排出経路２７の接続口へ向かって集めることができ、処理水とともに系外へ排出しやすくなる。また、前記排水循環経路５へスラッジが持ち込まれることが抑制され、前記循環ポンプ６の詰まりや故障を防止できる。さらに、前記貯留槽４内におけるボイラ排水の高温部分から優先的に冷却されるので、前記貯留槽４内の温度分布が均一になりやすく冷却時間が短縮される。
【００４０】
ここで、前記排水処理装置１の作用について説明する。前記蒸気ボイラ２からのボイラ排水は、前記排水経路３を介して前記貯留槽４内に貯留される。この貯留されたボイラ排水が所定の水位に達すると、前記制御部１６の指令に基づき前記循環ポンプ６が駆動し、ボイラ排水が前記排水循環経路５を循環する。そして、ボイラ排水は、前記排水循環経路５において、冷却されるとともに中和される。
【００４１】
まず、ボイラ排水の冷却について具体的に説明すると、前記排水循環経路５を流れるボイラ排水は、前記排水入口９から前記冷却手段７の内部流路（図示省略）へと導入される。この状態で前記冷却水供給バルブ１４を開くと、冷却水が前記冷却水供給経路１５を介して前記冷却水入口１１から前記内部流路の外側へ供給される。前記冷却手段７へ供給される冷却水は、前記給水タンク１３内のボイラ給水である。この冷却水は、前記冷却手段７においてボイラ排水の熱を奪ったのち、前記冷却水出口１２から排出され、前記冷却水排出経路１７を介して前記給水タンク１３へ流入する。一方、冷却されたボイラ排水は、前記排水出口１０から前記排水循環経路５へ排出され、前記貯留槽４内へ還流する。
【００４２】
つぎに、ボイラ排水の中和について具体的に説明すると、前記排水循環経路５を循環するボイラ排水は、前記中和剤供給経路１９から供給されるボイラ排ガスによって、前記エゼクタ８の作用で中和される。すなわち、前記エゼクタ８は、前記排水供給口１８からボイラ排水を取り入れるとともに、前記中和剤供給経路１９から供給されるボイラ排ガスを前記中和剤吸引口２０から吸引し、ボイラ排水とボイラ排ガスとを混合する。これにより、ボイラ排水とボイラ排ガスとを効率よく接触させ、さらに前記エゼクタ８内で生じる乱流効果でボイラ排水を撹拌することによって、ボイラ排水中へボイラ排ガスを溶解させて中和する。そして、このボイラ排水は、前記吐出口２２から前記貯留槽４内へ噴射される。ここにおいて、前記エゼクタ８内でボイラ排水へ溶解しきれなかったボイラ排ガスは、前記貯留槽４内に気泡状に吹き出し、ボイラ排水中で微細化して溶解し、中和を促進する。
【００４３】
ところで、この実施例では、前記温度センサ２５で検出されたボイラ排水の水温に基づき、前記冷却手段７による冷却を前記制御部１６で制御している。また、前記ｐＨセンサ２６で検出されたボイラ排水のｐＨに基づき、前記エゼクタ８（すなわち、前記中和手段）による中和を前記制御部１６で制御している。
【００４４】
まず、前記冷却手段７による冷却の制御について具体的に説明する。前記温度センサ２５で検出されるボイラ排水の水温が、排水基準で定められた所定値を超えているとき、前記制御部１６は、前記冷却水供給バルブ１４を開状態とする。この結果、前記冷却手段７へは、前記冷却水供給経路１５を介して、前記給水タンク１３から冷却水としてボイラ給水が供給され、ボイラ排水が継続的に冷却される。一方、前記温度センサ２５で検出されるボイラ排水の水温が、排水基準で定められた所定値以下になったとき、前記制御部１６は、前記冷却水供給バルブ１４を閉状態とする。この結果、前記冷却手段７に対する冷却水（すなわち、ボイラ給水）の供給が遮断され、ボイラ排水の冷却が停止される。
【００４５】
つぎに、前記エゼクタ８による中和の制御について具体的に説明する。前記ｐＨセンサ２６で検出されるボイラ排水のｐＨが、排水基準で定められた所定値を超えているとき、前記制御部１６は、前記中和剤供給バルブ２３を開状態とするとともに、前記エアバルブ２４を閉状態とする。この結果、前記エゼクタ８が前記中和剤供給経路１９を介してボイラ排ガスを吸引可能となり、ボイラ排水が継続的に中和される。一方、前記ｐＨセンサ２６で検出されるボイラ排水のｐＨが、排水基準で定められた所定値以下になったとき、前記制御部１６は、前記中和剤供給バルブ２３を閉状態とするとともに、前記エアバルブ２４を開状態とする。この結果、前記エゼクタ８へは外気が吸引され、ボイラ排水の中和が停止される。このように、ボイラ排ガスを供給しないときに、外気を吸入させると、前記エゼクタ８内で発生する圧力変動に起因する振動が抑制される。
【００４６】
以上のように、前記貯留槽４内のボイラ排水が前記排水循環経路５を循環しながら、排水基準で定められた水温とｐＨになるまで、冷却の制御と中和の制御がそれぞれ個別に行われる。そして、前記貯留槽４内のボイラ排水が排水基準に適合した水温とｐＨになったとき、前記制御部１６は、前記排出バルブ２８を開状態にし、前記処理水排出経路２７を介してボイラ排水を系外へ排出する。
【００４７】
つぎに、この発明の第二実施例について説明する。図２は、第二実施例に係る排水処理装置の構成を示す概略的な説明である。
【００４８】
図２に示す第二実施例の排水処理装置２９の基本的な構成は、前記第一実施例の排水処理装置１と同一であり、以下の説明では、前記第一実施例の排水処理装置１と異なる部分について説明する。
【００４９】
前記排水処理装置２９は、前記排水循環経路５において、前記循環ポンプ６と前記エゼクタ８の間にボイラ排水の冷却を行う主冷却手段３０が設けられている。さらに、前記排水処理装置２９は、クーリングタワー３１を備えている。
【００５０】
前記主冷却手段３０は、前記第一実施例における前記冷却手段７と同様、熱交換器であり、前記排水循環経路５を流れるボイラ排水を供給する排水入口３２と、冷却されたボイラ排水を排出する排水出口３３とを備えている。さらに、前記主冷却手段３０は、冷却水を供給する冷却水入口３４と、熱交換された冷却水を排出する冷却水出口３５とを備えている。前記冷却水入口３４には、前記冷却水供給経路１５が接続されており、また前記冷却水出口３５には前記冷却水排出経路１７が接続されている。
【００５１】
前記クーリングタワー３１は、副冷却手段を構成する機器であり、前記主冷却手段３０においてボイラ排水と熱交換された冷却水を冷却するものである。前記クーリングタワー３１は、前記冷却水排出経路１７が接続される冷却水取入口３６と、前記冷却水供給経路１５が接続される冷却水排出口３７とを備えている。また、前記クーリングタワー３１には、補給水供給経路３８が接続されている。この補給水供給経路３８は、冷却にともなって蒸発する冷却水を外部から補給する経路であり、この経路に設けられた補給水供給バルブ３９を開状態とすることより、冷却水が補給される。さらに、前記クーリングタワー３１の底部には、濃縮した冷却水を系外へ排出する濃縮水排出経路４０を備えており、この濃縮水排出経路４０には、濃縮水排出バルブ４１が設けられている。そして、この濃縮水排出バルブ４１を開状態とすることにより、濃縮した冷却水が系外へ排出される。
【００５２】
図２では、前記蒸気ボイラ２および前記排気筒２１を図示していないが、前記排水処理装置２９は、前記第一実施例と同様に、前記蒸気ボイラ２からのボイラ排水が前記貯留槽４へ貯留され、またボイラ排ガスが前記エゼクタ８へ供給されるように構成されている。さらに、図２では、前記制御部１６も図示していないが、前記冷却水供給バルブ１４，前記中和剤供給バルブ２３，前記エアバルブ２４，前記排出バルブ２８，前記温度センサ２５および前記ｐＨセンサ２６は、それぞれ前記制御部１６と電気的に接続されている。
【００５３】
この第二実施例においても、前記第一実施例と同様に、ボイラ排水の冷却と中和が行われる。そして、この第二実施例においては、前記主冷却手段３０においてボイラ排水と熱交換された冷却水は、前記冷却水出口３５から排出され、前記冷却水排出経路１７を介して前記冷却水取入口３６から前記クーリングタワー３１へ流入する。そして、前記クーリングタワー３１で冷却された冷却水は、前記冷却水排出口３７から排出され、前記冷却水供給経路１５を介して前記冷却水入口３４から再び前記主冷却手段３０へ供給され、ボイラ排水を冷却する。
【図面の簡単な説明】
【００５４】
【図１】この発明に係る排水処理装置の第一実施例の構成を示す概略的な説明図である。
【図２】この発明に係る排水処理装置の第二実施例の構成を示す概略的な説明図である。
【符号の説明】
【００５５】
１，２９    排水処理装置
２    蒸気ボイラ（ボイラ）
７    冷却手段
３０    主冷却手段
３１    クーリングタワー（副冷却手段）
【図１】
2006198472.tif 000003
【図２】
2006198472.tif 000004